(57)【要約】【課題】  左後方の画像か右後方の画像かを判別できる二輪車用表示装置を提供する。【解決手段】  撮像手段１０，２０は、二輪車の左後方及び右後方を撮像する。制御手段１２，２２は、左後方画像５０Ｌ，６０Ｌまたは右後方画像５０Ｒ，６０Ｒを表示手段１３，２３に表示させる。操作手段１１，２１は、左後方画像５０Ｌ，６０Ｌまたは右後方画像５０Ｒ，６０Ｒの一方を選択する。制御手段１２，２２は、左後方画像５０Ｌ，６０Ｌが選択されたとき、左側のバックミラーを模した枠状画像１５Ｌ，２５Ｌを表示手段１０，２０に表示させ、右後方画像５０Ｒ，６０Ｒが選択されたとき、右側のバックミラーを模した枠状画像１５Ｒ，２５Ｒを表示手段１０，２０に表示させる。【選択図】  図５
2014237363.tif 000002
【特許請求の範囲】
【請求項１】
表示手段１３，２３と、二輪車の左後方及び右後方を撮像する撮像手段１０，２０と、左後方画像５０Ｌ，６０Ｌまたは右後方画像５０Ｒ，６０Ｒを前記表示手段１０，２０に表示させる制御手段１２，２２と、を備えた二輪車用表示装置であって、
前記制御手段１２，２２は、前記左後方画像５０Ｌ，６０Ｌまたは前記右後方画像５０Ｒ，６０Ｒと共に、バックミラーを模した枠状画像１５Ｌ，１５Ｒ，２５Ｌ，２５Ｒを前記表示手段１３，２３に表示させることを特徴とする二輪車用表示装置。
【請求項２】
表示手段１３，２３と、二輪車の左後方及び右後方を撮像する撮像手段１０，２０と、左後方画像５０Ｌ，６０Ｌまたは右後方画像５０Ｒ，６０Ｒを前記表示手段１３，２３に表示させる制御手段１２，２２と、前記左後方画像５０Ｌ，６０Ｌまたは前記右後方画像５０Ｒ，６０Ｒの一方を選択する操作手段１１，２１と、を備えた二輪車用表示装置であって、
前記制御手段１２，２２は、前記左後方画像５０Ｌ，６０Ｌが選択されたとき、左側のバックミラーを模した枠状画像１５Ｌ，２５Ｌを前記表示手段１０，２０に表示させ、前記右後方画像５０Ｒ，６０Ｒが選択されたとき、右側のバックミラーを模した枠状画像１５Ｒ，２５Ｒを前記表示手段１０，２０に表示させることを特徴とする二輪車用表示装置。
【請求項３】
前記撮像手段１０は、二輪車の左後方を撮像する第一の撮像カメラ１０Ｒと、二輪車の右後方を撮像する第二の撮像カメラ１０Ｌと、を有することを特徴とする請求項１または請求項２に記載の二輪車用表示装置。
【請求項４】
前記制御手段１２は、前記操作手段１１が操作されたときに方向指示器１４Ｌ，１４Ｒを点滅させることを特徴とする請求項１または請求項２に記載の二輪車用表示装置。
【発明の詳細な説明】
【技術分野】
【０００１】
本発明は、二輪車の後方を撮像した画像を表示する二輪車用表示装置に関するものである。
【背景技術】
【０００２】
従来より、二輪車の後方を撮像カメラにて監視する二輪車用表示装置が種々提案されており、例えば特許文献１に開示されている。斯かる二輪車用表示装置は、運転者が直視できない領域を撮像カメラにて撮像し、この撮像カメラで撮像された画像を表示器に表示するものであり、左後方を撮像した画像は、表示器の画面の左側半分に表示され、右後方を撮像した画像は、表示器の画面の右側半分に表示される。
【先行技術文献】
【特許文献】
【０００３】
【特許文献１】特開２００６−１３１２１３号公報
【発明の概要】
【発明が解決しようとする課題】
【０００４】
しかしながら、撮像カメラで撮像された画像が、表示器の左半分または右半分にしか表示されないため、前記画像が小さくて視認し難いという問題を有していた。
本発明は、この問題に鑑みなされたものであり、左後方の画像か右後方の画像かを判別でき、且つ、撮像カメラで撮像された画像を大きく表示できる二輪車用表示装置を提供するものである。
【課題を解決するための手段】
【０００５】
本発明は、表示手段１３，２３と、二輪車の左後方及び右後方を撮像する撮像手段１０，２０と、左後方画像５０Ｌ，６０Ｌまたは右後方画像５０Ｒ，６０Ｒを前記表示手段１０，２０に表示させる制御手段１２，２２と、を備えた二輪車用表示装置であって、前記制御手段１２，２２は、前記左後方画像５０Ｌ，６０Ｌまたは前記右後方画像５０Ｒ，６０Ｒと共に、バックミラーを模した枠状画像１５Ｌ，１５Ｒ，２５Ｌ，２５Ｒを前記表示手段１３，２３に表示させるものである。
【０００６】
また、本発明は、表示手段１３，２３と、二輪車の左後方及び右後方を撮像する撮像手段１０，２０と、左後方画像５０Ｌ，６０Ｌまたは右後方画像５０Ｒ，６０Ｒを前記表示手段１３，２３に表示させる制御手段１２，２２と、前記左後方画像５０Ｌ，６０Ｌまたは前記右後方画像５０Ｒ，６０Ｒの一方を選択する操作手段１１，２１と、を備えた二輪車用表示装置であって、前記制御手段１２，２２は、前記左後方画像５０Ｌ，６０Ｌが選択されたとき、左側のバックミラーを模した枠状画像１５Ｌ，２５Ｌを前記表示手段１０，２０に表示させ、前記右後方画像５０Ｒ，６０Ｒが選択されたとき、右側のバックミラーを模した枠状画像１５Ｒ，２５Ｒを前記表示手段１０，２０に表示させるものである。
【０００７】
また、本発明は、前記撮像手段１０は、二輪車の左後方を撮像する第一の撮像カメラ１０Ｒと、二輪車の右後方を撮像する第二の撮像カメラ１０Ｌと、を有するものである。
【０００８】
また、本発明は、前記制御手段１２は、前記操作手段１１が操作されたときに方向指示器１４Ｌ，１４Ｒを点滅させるものである。
【発明の効果】
【０００９】
バックミラーを模した枠状画像によって、左後方の画像か右後方の画像かを判別でき、且つ、撮像カメラで撮像された画像を大きく表示できる。
【図面の簡単な説明】
【００１０】
【図１】本発明の第一実施形態を示すブロック図。
【図２】同上実施形態を示す概観図。
【図３】同上実施形態を示す二輪車用計器の正面図。
【図４】同上実施形態を示す操作レバーの説明図。
【図５】同上実施形態を示す画像の説明図。
【図６】本発明の第二実施形態を示すブロック図。
【図７】同上実施形態を示す概観図。
【図８】同上実施形態を示す二輪車用計器の正面図。
【図９】同上実施形態を示す操作レバーの説明図。
【図１０】同上実施形態を示す画像の説明図。
【図１１】同上実施形態を示す撮像範囲の説明図。
【発明を実施するための形態】
【００１１】
以下、添付の図面に基づいて、本発明の一実施形態について説明する。図１乃至図５は、第一実施形態を示すものである。二輪車用表示装置は、左側撮像カメラ１０Ｌと、右側撮像カメラ１０Ｒと、操作器１１と、制御部１２と、表示器１３と、左側ウインカー１４Ｌと、右側ウインカー１４Ｒと、を備えている。
【００１２】
左側撮像カメラ１０Ｌ，右側撮像カメラ１０Ｒは、ＣＣＤイメージセンサ，ＣＭＯＳイメージセンサ等の撮像素子を有するものであり、二輪車の後部に配設されている。左側撮像カメラ１０Ｌは二輪車の左後方を撮像し、右側撮像カメラ１０Ｒは二輪車の右後方を撮像する。左側撮像カメラ１０Ｌ，右側撮像カメラ１０Ｒは、左右のバックミラーでは視認できない範囲を撮像できるように配設されている。
【００１３】
左側撮像カメラ１０Ｌ，右側撮像カメラ１０Ｒによって撮像された左後方画像５０Ｌ，右後方画像５０Ｒは、表示器１３に表示される。表示器１３は、二輪車用計器３０の速度計３１及び回転計３２の上方に配設されている。
【００１４】
操作器１１は、左右に操作可能な操作レバー３５を有している。制御部１２は、操作レバー３５が左側に操作されたとき、左側ウインカー１４Ｌを点滅させると共に、左側撮像カメラ１０Ｌで撮像した左後方画像５０Ｌを表示器１３に表示させ、操作レバー３５が右側に操作されたとき、右側ウインカー１４Ｒを点滅させると共に、右側撮像カメラ１０Ｒで撮像した右後方画像５０Ｒを表示器１３に表示させる。
【００１５】
制御部１２は、操作レバー３５が左側に操作されたとき、左側撮像カメラ１０Ｌで撮像した左後方画像５０Ｌを表示器１３に表示させると共に、左側のバックミラーを模した枠状画像１５Ｌを表示させる（図５（ａ）参照）。また、制御部１２は、操作レバー３５が右側に操作されたとき、右側撮像カメラ１０Ｒで撮像した右後方画像５０Ｒを表示器１３に表示させると共に、右側のバックミラーを模した枠状画像１５Ｒを表示させる（図５（ｂ）参照）。枠状画像１５Ｌ，１５Ｒは、例えば、枠線形状であっても良いし、半透明な額縁状であっても良い。
【００１６】
走行車線から追越し車線へ車線変更しようとするとき、ライダー（二輪車の運転者）は右後方を確認する必要があるので、右後方画像５０Ｒを視認する。また、追越し車線から走行車線へ車線変更しようとするとき、ライダーは左後方を確認する必要があるので、左後方画像５０Ｌを視認する。
【００１７】
図２乃至図１１は第二実施形態を示すものである。二輪車用表示装置は、撮像カメラ２０と、操作器２１と、制御部２２と、表示器２３と、を備えている。
【００１８】
撮像カメラ２０は、ＣＣＤイメージセンサ，ＣＭＯＳイメージセンサ等の撮像素子を有するものであり、二輪車の後部に配設されている。撮像カメラ２０は二輪車の左後方及び右後方を撮像する広角型カメラである。
【００１９】
撮像カメラ２０によって撮像された画像は、撮像範囲Ｓの一部が切り出されて表示器２３に表示される。表示器２３は、二輪車用計器３０の速度計３１と回転計３２の間に配設されている。
【００２０】
操作器２１は、押ボタンスイッチ２１ａ，２１ｂを有している。押ボタンスイッチ２１ａは、左方向を表す三角形状になっている。押ボタンスイッチ２１ｂは、右方向を表す三角形状になっている。制御部２２は、押ボタンスイッチ２１ａが押圧操作されたとき、撮像カメラ２０で撮像した画像の右側を切り出すと共に、左右反転させて表示器２３に表示させ、押ボタンスイッチ２１ｂが押圧操作されたとき、撮像カメラ２０で撮像した画像の左側を切り出すと共に、左右反転させて表示器２３に表示させる。
【００２１】
撮像カメラ２０は二輪車の後方を撮像しているので、撮像範囲Ｓの右側は二輪車の左後方画像６０Ｌである。また、撮像範囲Ｓの左側は、二輪車の右後方画像６０Ｒである。
【００２２】
制御部２２は、押ボタンスイッチ２１ａが押圧操作されたとき、左後方画像６０Ｌを表示器２３表示させると共に、左側のバックミラーを模した枠状画像２５Ｌを表示させる（図１０（ａ）参照）。また、制御部２２は、押ボタンスイッチ２１ｂが押圧操作されたとき、右後方画像６０Ｒを表示器２３に表示させると共に、右側のバックミラーを模した枠状画像２５Ｌを表示させる（図１０（ｂ）参照）。
【００２３】
第一，第二実施形態によれば、バックミラーを模した枠状画像１５Ｌ，１５Ｒ，２５Ｌ，２５Ｒによって、左後方の画像か右後方の画像かを判別できる。なお、枠状画像１５Ｌ，１５Ｒ，２５Ｌ，２５Ｒは、実際に装着されているバックミラーを忠実に模したものである必要はなく、左側のバックミラーか右側のバックミラーかが判別できれば良い。
【符号の説明】
【００２４】
１０    撮像手段
１０Ｌ  左側撮像カメラ
１０Ｒ  右側撮像カメラ
１１    操作手段
１２    制御部（制御手段）
１３    表示器（表示手段）
１５Ｌ  枠状画像
１５Ｒ  枠状画像
２０    撮像カメラ（撮像手段）
２１    操作手段
２２    制御部（制御手段）
２３    表示器（表示手段）
２５Ｌ  枠状画像
３５Ｒ  枠状画像
【図１】
2014237363.tif 000003
【図２】
2014237363.tif 000004
【図３】
2014237363.tif 000005
【図４】
2014237363.tif 000006
【図５】
2014237363.tif 000007
【図６】
2014237363.tif 000008
【図７】
2014237363.tif 000009
【図８】
2014237363.tif 000010
【図９】
2014237363.tif 000011
【図１０】
2014237363.tif 000012
【図１１】
2014237363.tif 000013